(57)【要約】  毛髪をブリッスルに効率的にキャッチさせ、毛髪のセット力を高めることを実現する。ヘッド部（７０）を備えたヘアブラシであって、毛髪に熱を伝える伝熱体からなるセット部（３０、４０、５０）が、前記ヘッド部（７０）の第１の表面に配置され、当該セット部（３０、４０、５０）の表面から伸長する複数のブリッスル（２０、２１、２２、３１、３２、４１、４２、５２）を備え、前記ブリッスルの高さ方向に垂直な断面が、長軸と短軸とを有する楕円形状を備え、前記短軸が、前記セット部（３０、４０、５０）の長手方向の軸線に対して一方向へ回転した角度を有するように配置され、前記第１の表面における前記ブリッスルの断面の中心が、前記第１の表面において幾何学的に配置され、前記幾何学的な配置が、前記第１の表面におけるスパイラルの一部に沿った配置である。
2019215961.tif 000002
【特許請求の範囲】
【請求項１】
ヘッド部を備えたヘアブラシであって、
前記ヘッド部の第１の表面にセット部が配置され、
前記セット部は、毛髪に熱を伝える伝熱体からなり、
前記セット部は、当該セット部の表面から伸長する複数のブリッスルを備え、
前記ブリッスルの断面が、長軸と短軸とを有する楕円形状であり、
前記短軸が、前記セット部の長手方向の軸線に対して一方向へ回転した角度を有するように配置され、
前記第１の表面における前記ブリッスルの断面の中心が、前記第１の表面において幾何学的に配置され、
前記幾何学的な配置が、前記第１の表面におけるスパイラルの一部に沿った配置であることを特徴とするヘアブラシ。
【請求項２】
前記スパイラルが、フィボナッチスパイラルであることを特徴とする請求項１に記載のヘアブラシ。
【請求項３】
前記第１の表面におけるスパイラルの一部が前記セット部の表面で複数のトラックを生成し、
前記楕円形状の長軸が、前記トラックに沿うように前記ブリッスルが配置されている
ことを特徴とする請求項１または２に記載のヘアブラシ。
【請求項４】
前記幾何学的な配置が、前記第１の表面における２つのスパイラルの交点の一部に沿った配置である、
ことを特徴とする請求項１から３のいずれか１項に記載のヘアブラシ。
【請求項５】
前記セット部の短手方向の両端部に配置されたブリッスルの高さが、当該短手方向の中央部に配置されたブリッスルの高さよりも低い
ことを特徴とする請求項１から４のいずれか１項に記載のヘアブラシ。
【請求項６】
前記複数のブリッスルのうちの少なくとも２つが前記伝熱体からなる第１のブリッスルであり、
前記複数のブリッスルのうちの少なくとも１つが、前記伝熱体よりも熱伝導率の低い樹脂からなる第２のブリッスルである
ことを特徴とする請求項１から５のいずれか１項に記載のヘアブラシ。
【請求項７】
前記第１のブリッスルの高さが、前記第２のブリッスルの高さより低いことを特徴とすることを特徴とする請求項６に記載のヘアブラシ。
【請求項８】
第１の断面積を有する第１のブリッスルに隣接して、前記第１の断面積とは異なる第２の断面積を有する第１のブリッスルが配置され、
前記第１の断面積が前記第２の断面積よりも大きく、
前記第２の断面積を有する第１のブリッスルが、前記セット部の短手方向の端部に沿って配置される
ことを特徴とする請求項６または７に記載のヘアブラシ。
【請求項９】
前記ヘッド部が長軸方向に高さを有する楕円柱体であり、
前記セット部が、前記楕円柱体の表面に配置される
ことを特徴とする請求項１から８のいずれか１項に記載のヘアブラシ。
【発明の詳細な説明】
【技術分野】
【０００１】
本発明は、ヘアブラシ、特に毛髪をセットする電気ヘアブラシに関する。
【背景技術】
【０００２】
従来のヘアスタイリングにおいては、ヘアアイロン、ヘアブラシ、ブラシとヘアドライヤーの併用など、様々な方法が用いられていた。例えば、ヘアアイロンは、まず毛髪を梳き、次いでアイロンで毛髪を挟み込んでセットする。
【先行技術文献】
【特許文献】
【０００３】
【特許文献１】実用新案第３２０６８０８号
【特許文献２】特開２０１３−２４０４３４号
【特許文献３】特開２００７−２２９３１６号
【発明の概要】
【発明が解決しようとする課題】
【０００４】
しかしながら、上述のような従来技術では、例えば、ヘアブラシは一度でヘアセットが可能であるが、うまく毛髪をキャッチできないと熱が毛髪に伝わりにくいという問題がある。また、その一方でブラシのピンを増やし過ぎると毛髪が絡まったり抜けなくなったりすることにより毛髪へのダメージが大きくなるという課題がある。【０００５】
本発明は、上記の問題点に鑑みてなされたものであり、その目的は、毛髪をブリッスルに効率的にキャッチさせ、毛髪のセット力を高めることを実現することにある。
【課題を解決するための手段】
【０００６】
上記の課題を解決するために、本発明に係るヘアブラシは、ヘッド部を備えたヘアブラシであって、毛髪に熱を伝える伝熱体からなるセット部が、前記ヘッド部の第１の表面に配置され、前記セット部は、当該セット部の表面から伸長する複数のブリッスルを備え、前記ブリッスルの高さ方向に垂直な断面が、長軸と短軸とを有する楕円形状であり、前記短軸が、前記セット部の長手方向の軸線に対して一方向へ回転した角度を有するように配置され、前記第１の表面における前記ブリッスルの断面の中心が、前記第１の表面において幾何学的に配置され、前記幾何学的な配置が、前記第１の表面におけるスパイラルの一部に沿った配置である構成である。
【発明の効果】
【０００７】
本発明によれば、上記の構成によれば、楕円の曲率の大きな領域を利用して毛髪を曲げることができるという効果を奏する。【０００８】
本発明の一態様によれば、毛髪はブリッスルに効率的にキャッチされ、毛髪のセット力を高めることができる。
【図面の簡単な説明】
【０００９】
【図１】従来技術に係るヘアブラシのブリッスルの配列を示す概略図である。
【図２】実施形態１に係るヘアブラシのブリッスルの幾何学的な配列を示す概略図である。
【図３】実施形態２に係るヘアブラシのブリッスルの配列を模式的に示す概略図である。
【図４】実施形態３に係るヘアブラシのブリッスルの配列を模式的に示す概略図である。
【図５】実施形態４に係るセット部の模式的な斜視図である。
【図６】実施形態５に係るセット部の模式的な側面図である。
【図７】実施形態６に係るヘアブラシの正面図である。
【図８】実施形態６に係るヘアブラシの背面図である。
【図９】（ａ）は実施形態６に係るヘアブラシの側面図であり、（ｂ）は実施形態６に係るヘアブラシの斜視図である。
【図１０】実施形態６に係るヘアブラシの６面図である。
【発明を実施するための形態】
【００１０】
従来のヘアブラシのブリッスルの配列態様１００、１１０の概略図を図１に示す。図１では、ヘアブラシの外観は示していないが、ブラシ面（ｘｙ平面）を臨む方向（ｘｙ平面に垂直なｚ軸方向）から見たブリッスルの配列のみを模式的に示す。図１（ａ）に示すように、一般的なヘアブラシでは、グリッド状にブリッスル１０が配列されている。この構造では、ｘｙ平面において一定方向１０１に毛髪のすり抜けが生じてしまう。別の従来技術では、図１（ｂ）に示すように、互い違いにブリッスル１１が配列されている（特許文献１）。
【００１１】
特許文献１（実用新案第３２０６８０８号）では、ブラシとヘアアイロンを一緒にした構造が提案されている。特許文献１に係るブラシでは、一旦、毛髪を梳かす必要がなく便利であるが、ｘｙ平面においてブリッスル（ピン）の配列が、ｙ軸方向に対して直列である（図３（ａ））。当該考案は、ストレート用とはいえ、このような配列構造にすると、ｘｙ平面において一定方向１１１には毛髪のすり抜けが生じてしまう。したがって、ブリッスルの本数を増やすか、各ブリッスルのサイズを大きく設定する必要がある。特許文献１では、ブリッスルとブリッスルとの間に隙間がほとんどなく（図３（ａ））、毛髪は強い摩擦によってダメージを受けることが考えられる。
【００１２】
また、特許文献２では、人の頭部の曲率に合わせたブリッスルが提案されており、この形状に倣ってブラシを設計することも考えられる。しかし、頭部についてはフィット感があると思われるが、例えば毛髪が長く頭部から離れた部位では、むしろ使用感が悪くなる。特許文献３では獣毛によってグリップ力をアップしたドライヤーが提案されているが、均等に効率よく熱を伝えられることにはならない。
【００１３】
毛髪のグリップ力を増大させ、効率良く短時間で毛髪に熱を伝えることが可能なセット用ヘアブラシの必要性が望まれている。
【００１４】
〔実施形態１〕
以下、本発明の一実施形態について、詳細に説明する。
【００１５】
本発明に係るヘアブラシは、頭髪を梳かすヘッド部を有するヘアブラシであって、当該ヘッド部は毛髪をセットするセット部を有する。好ましい実施形態では、ヘッド部の一方の面にセット部が配置される。当該セット部は、熱を髪に伝える伝熱体からなり、セット部の表面（ｘｙ平面）（ブラシ面）に対して垂直（ｚ軸方向）に立ち上がる複数のピン形状（ブリッスル）を有する。
【００１６】
図２は、本発明に係るヘアブラシのブリッスルの幾何学的な配列を示す概略図である。図２（ａ）〜（ｃ）は、ヘアブラシの外観は示していないが、ブラシ面を臨む方向（ｘｙ平面に垂直なｚ軸方向）から見たブリッスル２０，２１，２２の幾何学的な配列のみを模式的に示す。
【００１７】
本願発明の好ましい実施形態では、ピン形状のブリッスル２０，２１，２２のｘｙ平面における各々の中心（図３（ｂ）（ｉ）参照）は、一定の幾何学的形状に沿って配置される。好ましい幾何学的形状は、２次元曲線であり、より好ましくはスパイラル（渦巻）である。本明細書でスパイラルとは、旋回するにつれ中心から遠ざかる渦巻状の２次元曲線をいう。本願発明の好ましい実施形態では、ｘｙ平面のスパイラルの一部に沿ってブリッスルが設けられることを特徴とする。
【００１８】
ここで「スパイラルの一部」とは、概念的に広がるｘｙ平面のうちセット部を構成する領域に含まれるスパイラルの一部を意味する。セット部を構成するｘｙ平面座標にはスパイラルの複数のトラックが生成されるようなピッチで構成されるスパイラルが好ましい。例えば、図２（ａ）では、セット部を構成するｘｙ平面座標に、スパイラルのトラック２０２が少なくとも１１本生成されているのが確認できる。図２（ｂ）では、セット部を構成するｘｙ平面座標に、スパイラルのトラック２１２が少なくとも１１本生成されているのが確認できる。図２（ｃ）では、セット部を構成するｘｙ平面座標に、スパイラルのトラック２２２が少なくとも１２本生成され、更に、スパイラルのトラック２２３が少なくとも１６本生成されているのが確認できる。ブリッスルが、ｘｙ平面上において渦巻状のスパイラルの一部に沿って配置される態様を「スパイラル配列」、「スパイラル状に配置」とも称する。スパイラルの態様は、アルキメデススパイラルのような代数スパイラルに限定されず、対数螺旋などを採用することができる。好ましい実施形態では、フィボナッチスパイラルを採用することができる。スパイラルの初期半径、ピッチなどの種々のパラメータは任意に設定することが可能である。
【００１９】
好ましい実施形態では、極座標でｒ＝ａθと記述できるアルキメデススパイラル（代数スパイラル）を採用することができる。例えば、図２（ｃ）のトラック２２３では、パラメータａを０．０１７とし、θ＝ｔ×３６０としたとき、ｔが２０〜３５のトラックが１６本生成される。図２（ｃ）のトラック２２２では、パラメータａを０．０２とし、θ＝−ｔ×３６０としたとき、ｔが３６〜４７のトラックが１２本生成される。
【００２０】
ｘｙ平面においてブリッスル２０，２１，２２をスパイラル状に配置した本発明に係る構成では、金属ピン（ブリッスル）２０，２１，２２が均等に配列される。これにより、毛髪が入ってくる場所または方向２０１，２１１に依存せず、すり抜けようとする毛髪に金属ピン（ブリッスル）２０，２１，２２が確実に接触する（図２（ａ）、（ｂ）参照）。その結果、毛髪は金属ピン（ブリッスル）２０，２１，２２にキャッチされ、毛髪のセット力を高めることができる。
【００２１】
図２（ａ）、（ｂ）に示すように、スパイラルの方向はトラック２０２の方向でもよく、トラック２１２の方向でもよい。また図２（ｃ）に示すように、２つの方向のスパイラルのトラック２２２，２２３の組み合わせによる交点にブリッスル２２を配置するのも好ましい。ヘアブラシは髪全体に使用され、右利きの使用者と左利きの使用者が想定されるため、使用状況によって毛髪が進行する方向は特定できない。図２（ｃ）に示す構成であれば、毛髪がどの方向から入ってきてもブリッスル２２でキャッチされ、毛髪のセット力を向上させることができる。複数のピンは１つのスパイラルにおける第１トラックに沿って配置され、他の複数のピンは該スパイラルにおける第２トラック（第２トラックは第１トラックに隣接する）に沿って配置されてもよい。
【００２２】
別の好ましい実施形態では、把持部とヘッド部からなるヘアブラシであって、ヘッド部は、ヘアブラシの長軸方向に高さを備える楕円柱状であってもよい。かかる楕円柱状のヘッド部の場合、セット部は楕円柱の表面に配置するように設けられるのが好ましい。
【００２３】
図３に示すとおり、ブリッスルのｘｙ平面における断面形状は、楕円形状であるのが好ましい（図３（ｂ）（ｉ）参照）。図３（ｂ）（ｉ）では、中心を通るｘ軸に平行な軸線が長軸となり、中心を通るｙ軸に平行な軸線が短軸となる。長軸と短軸が等しい場合（図３（ｂ）（ii）参照）は、ブリッスルの断面形状が円形となる。本明細書では、円形状は楕円形状の一態様である。
【００２４】
ヘアブラシによるブラッシングの際に、毛髪は出来る限り隙間を通ろうとする。例えば、特許文献１などでは、ある一定の方向（１１１とは反対方向）にヘアブラシが移動するとほとんどの毛髪がすり抜けてしまう場合がある。かかる状況では、ヘアブラシのブリッスル１１が毛髪をキャッチすることができず、ブリッスル１１を介して毛髪に熱を伝えることができないため毛髪を所望のスタイルにセットすることができない。毛髪のすり抜けを抑制するために特許文献１では、伝熱ピンの太さを太く設定したり、伝熱ピンの本数を増やす等の工夫をし、ブリッスル１１の密度を増大させる対応が施されている。しかし、金属ブリッスルの密度をいたずらに増大させると、ブリッスル間のｙ軸方向における隙間が狭くなる。その結果、毛髪との摩擦が強くなり、毛髪にダメージを与え、毛髪がピン同士の間に入りにくくなったりする。
【００２５】
これに対し、本願発明にかかるスパイラル状に配置されたブリッスル間のｙ軸方向における隙間は、特許文献１における隙間のように狭くならない。かかる構成により、従来のブリッスルの配列に比べ、毛髪へのダメージを軽減しつつ、確実にヘアセットをすることができる。
【００２６】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００２７】
図３は、実施形態２にかかるブリッスルの配列を模式的に示す。図３（ａ）は、セット部３０（ｘｙ平面）上にブリッスル３１、３２が、２つのスパイラルのトラック２２２、２２３上に配置されているセット部の正面図を示す。図３（ｂ）（ｉ）は、ブリッスル３１のｘｙ平面における断面形状を示し、図３（ｂ）（ｉｉ）は、ブリッスル３２のｘｙ平面における断面形状を示す。ブリッスル３１、３２は、ともに伝熱体からなる伝熱ピンであるのが好ましい。図３（ｃ）は、図３（ａ）に示したセット部の斜視図を示す。
【００２８】
好ましい実施形態では、セット部３０は、ｘｚ平面においてｚ軸方向に凸状に湾曲している形状を有する。ブリッスル３１，３２は、ｚ軸方向に垂直に立ち上がるように伸長するのが好ましい。他の好ましい実施形態では、ｘｚ平面において凸状に湾曲したセット部５０の断面のうち、湾曲した表面における接線方向に対して垂直に立ち上がるように、ブリッスル３１，３２が配置されるのが好ましい。湾曲したセット部の表面におけるブリッスル３１，３２の付け根部分の断面積の中心が、スパイラルのトラック２２２、２２３上に配置されるのが好ましい。
【００２９】
実施形態２に係るヘアブラシでは、セット部３０は、ブリッスル３１よりも幅が狭い（長軸が短い）ブリッスル３２を有し、ブリッスル３２も、スパイラルの一部に沿って設けられるのが好ましい。好ましい実施形態では、セット部３０は、断面積の異なる２種類以上のブリッスルを備えるのが好ましい。好ましい実施形態では、ブリッスル３２のｘｙ平面における断面形状は円形であるのが好ましい。好ましい実施形態では、ブリッスル３２のｘｙ平面における各々の中心（図３（ｂ）（ｉｉ）参照）が、スパイラルの一部に沿って設けられることを特徴とする（図３（ａ）参照）。
【００３０】
図３（ａ）、（ｃ）に示すとおり、ブリッスル３２はセット部３０の短手方向端部にｙ軸方向に沿って配置されるのが好ましい。かかる構成では、セット部３０の短手方向端部で、ブリッスル間のｙ軸方向における間隔を狭くすることができる。毛髪は隙間を通ろうとする性質があるため、かかる構成により、毛髪がブリッスル間に侵入しやすい箇所を設けることができる。
【００３１】
かかる構成により、スパイラル配列によってセット力を向上させつつ、毛髪の侵入しやすさを向上させ、効果のバランスを向上させることが可能となる。
【００３２】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００３３】
図４は、実施形態３に係るブリッスルの配列を模式的に示す。図４（ａ）は、セット部４０（ｘｙ平面）上にブリッスル４１、３２が、２つのスパイラルのトラック２２２、２２３上に配置されているセット部の正面図を示す。図４（ｂ）は、ブリッスル４１のｘｙ平面における断面形状を示す。実施形態２と同様に、ブリッスル４１、３２は、ともに伝熱体からなる伝熱ピンであるのが好ましい。
【００３４】
好ましい実施形態では、セット部４０は、ｘｚ平面においてｚ軸方向に凸状に湾曲している形状を有する。ブリッスル４１，３２，４２は、ｚ軸方向に垂直に立ち上がるように伸長するのが好ましい。他の好ましい実施形態では、ｘｚ平面において凸状に湾曲したセット部４０の断面のうち、湾曲した表面における接線方向に対して垂直に立ち上がるように、ブリッスル４１，３２，４２が配置されるのが好ましい。湾曲したセット部の表面におけるブリッスル４１，３２，４２の付け根部分の断面積の中心が、スパイラルのトラック２２２、２２３上に配置されるのが好ましい。
【００３５】
実施形態３にかかるブリッスル４１の断面における短軸は、セット部４０の長手方向の軸線（ｙ軸）に対して一方向へ回転した角度を有するように配置されるのが好ましい。具体的には、図４（ｂ）に示すブリッスル４１の断面における短軸は、セット部４０の長手方向の軸線（ｙ軸）と平行ではなく、ｙ軸に対して所定の角度で傾斜しているのが好ましい。言い換えれば、ブリッスル４１の断面における短軸は、ｙ軸に対して一方向へ所定の角度で回転して配置されるのが好ましい。更に好ましい実施形態では、図４（ａ）に示すように、ブリッスル４１の断面における長軸が、トラック２２３に沿うようにブリッスル４１が配置されているのが確認できる。他の好ましい実施形態では、ブリッスル４１の断面における長軸をトラック２２２に沿うようにブリッスル４１を配置することも可能である。
【００３６】
〔実施形態４〕
図５は、実施形態４に係るブリッスルの配列を模式的に示す。図５（ａ）は、セット部５０（ｘｙ平面）上にブリッスル３１，４２および孔５１がスパイラルのトラック２２２、２２３上に配置されているセット部５０の斜視図を示す。更に、図５（ａ）は、セット部５０の斜視図と一緒に、ブリッスル５２を連結したベース部５３の斜視図を示す。図５（ｂ）は、セット部５０の裏面から孔５１を介して、ベース部５３に連結されたブリッスル５２を装着させた斜視図を示す。孔５１にブリッスル５２がｘｙ平面に対して垂直（ｚ軸方向）に立ち上がるように配置されている状態を示す斜視図である。ブリッスル５２は、伝熱体よりも熱伝導率の低い樹脂からなるのが好ましい。
【００３７】
好ましい実施形態では、セット部５０は、ｘｚ平面においてｚ軸方向に凸状に湾曲している形状を有する。ブリッスル３１，４２，５２は、ｚ軸方向に垂直に立ち上がるように伸長するのが好ましい。他の好ましい実施形態では、ｘｚ平面において凸状に湾曲したセット部５０の断面のうち、湾曲した表面における接線方向に対して垂直に立ち上がるように、ブリッスル３１，４２，５２が配置されるのが好ましい。湾曲したセット部の表面におけるブリッスル３１，４２，５２の付け根部分の断面積の中心が、スパイラルのトラック上に配置されるのが好ましい。
【００３８】
実施形態４におけるブリッスル５２は、ブリッスル４２と同様にｘｙ平面における断面形状は円形であるのが好ましい。
【００３９】
樹脂ピン（ブリッスル５２）は、隙間に入り込んだ毛髪が抜けだすのを防ぐことができる。例えばブリッスル５２の先端を球状にすることで引っ掛かり部となり、その効果がより高まる。樹脂ピン（ブリッスル５２）を、スパイラルの配列の一部にすることで、効果をより高めることができる。また、樹脂であれば加工が容易であり、表面粗さなどを利用してグリップ力の調整が可能である。樹脂ピン（ブリッスル５２）は１本でもよいし、それぞれが毛束であっても良い。
【００４０】
〔実施形態５〕
本発明の他の実施形態について、以下に説明する。なお、説明の便宜上、上記実施形態にて説明した部材と同じ機能を有する部材については、同じ符号を付記し、その説明を繰り返さない。
【００４１】
図６は、実施形態５のセット部４０の側面図（ｘｚ平面）の概略図である。セット部４０の短手方向（ｘ軸方向）におけるセット部４０の中央部付近のブリッスル４１（伝熱ピン）の高さは、端部付近のブリッスル４１の高さより高く設けられるのが好ましい。言い換えれば、セット部４０の短手方向における両端のブリッスル４１の高さは、中央部のブリッスル４１の高さよりも低いことが好ましい。ここでブリッスルの高さとは、ピン自体の長さではなく、ｚ軸方向の値のことを言う。隣接するブリッスル４１間に毛髪が侵入する場合、中央部の高いブリッスル４１が毛髪に先に接触することにより、隣接するブリッスル４１間に毛髪が侵入しやすくなる。
【００４２】
セット部４０は平らな面に限定されず、図６に示すようにｘｚ平面において凸状であってもよい。別の好ましい実施形態では、ｘｚ平面において凹状であってもよい。
【００４３】
〔実施形態６〕
本発明の他の実施形態について、以下に説明する。なお、説明の便宜上、上記実施形態にて説明した部材と同じ機能を有する部材については、同じ符号を付記し、その説明を繰り返さない。
【００４４】
図４（ａ）に示すとおり、ブリッスル４２はセット部４０の短手方向端部にｙ軸方向に沿って配置されるのが好ましい。かかる構成では、セット部４０の短手方向端部で、ブリッスル間のｙ軸方向における間隔を狭くすることができる。毛髪は隙間を通ろうとする性質があるため、かかる構成により、毛髪がブリッスル間に侵入しやすい箇所を設けることができる。
【００４５】
かかる構成により、スパイラル配列によってセット力を向上させつつ、毛髪の侵入しやすさを向上させ、効果のバランスを向上させることが可能となる。
【００４６】
またブリッスル４２は、樹脂ピンとするのが好ましい。上述の実施形態４と同様に、ブリッスル４２（樹脂ピン）は、伝熱ピンよりも熱伝導率の低い樹脂からなるのが好ましい。
【００４７】
更に好ましい実施形態では、ブリッスル４２は、ブリッスル４１、３２よりも高さが高いのが好ましい。伝熱ピン（ブリッスル４１）は、耐熱過剰になる場合が想定され、伝熱ピンが直接頭皮に接触すると使用者が熱いと感じる場合がある。図９に示すように、樹脂ピン（ブリッスル２２）が伝熱ピン（ブリッスル４１）より突出していれば、樹脂ピン（ブリッスル４２）が伝熱ピン（ブリッスル４１）よりも先に頭皮に接触する。このため、直接伝熱ピン（ブリッスル４１）が頭皮に接触するのを防ぐことができる。
【００４８】
樹脂ピンの材質は、成形性と耐熱性が良好であるのが好ましい。好ましい実施形態では、ブリッスル４２の球状部のみを伝熱ピン（ブリッスル４１）の高さより突出させるのが好ましい。かかる態様では、毛髪が抜けにくく、かつ使用者に伝熱部が触れることを抑制することが可能となる。
【００４９】
〔実施形態７〕
本発明の他の実施形態について、以下に説明する。なお、説明の便宜上、上記実施形態にて説明した部材と同じ機能を有する部材については、同じ符号を付記し、その説明を繰り返さない。
【００５０】
伝熱体からなるセット部をヘアブラシ本体に装着した具体例を以下に説明する。
【００５１】
本発明に係るヒータ内蔵のヘアブラシ（ヘアブラシアイロンとも称する）の一例の外観模式図を図７〜図１０に示す。
【００５２】
図７にヘアブラシの正面図７００を示す（ｘｙ平面）。図８は、ヘアブラシの背面図８００を示す。図９（ａ）は、ヘアブラシの側面図９００を示す（ｙｚ平面）。図９（ｂ）は、ヘアブラシの斜視図９１０を示す。図１０は、別の好ましい実施形態に係るヘアブラシの六面図を示す。図１０（ａ）〜（ｆ）はそれぞれ、正面図、背面図、平面図、底面図、左側面図、右側面図を示す。
【００５３】
実施形態７にかかるヘアブラシは、使用者が手で握る部分としての把持部７２と、把持部７２の第１の端部に連結されたヘッド部７０と、ヘッド部７０内に配置された伝熱体とを備える。好ましい実施形態では、使用時には把持部７２とヘッド部７０とが略直線状の外観を呈する。他の好ましい実施形態では、把持部７２とヘッド部７０とが、所定の角度で接続された外観を呈してもよい。ヘッド部７０は、熱を毛髪に伝熱する伝熱体からなるセット部４０を有し、セット部４０は、複数の立ち上がるピン形状（ブリッスル４１、３２、４２）を有する。また好ましい実施形態では、ヘッド部７０は整流板（ガイドリブ）７１を備える。図８、９に示すように、複数の整流板７１が、楕円柱状のヘッド部７０のセット部４０以外の面に渡って配置されるのが好ましい。整流板７１により毛髪の進行方向を整えることができるのが好ましい。伝熱体は、内側にヒータ（図示せず）が装着されているのが好ましい。伝熱体の材料は、熱伝導性が良好であればよく、例えば、ステンレス、アルミニウム合金等の金属であるのが好ましい。他の金属でも伝熱体を構成することができ、上記金属材料に限定されるものではない。
【００５４】
把持部７２の第１の端部と対向する他の端部に、電源コード９１が接続される。ヘッド部７０の内部には、ヒータ（図示せず）があるのが好ましい。別の実施形態では、把持部７２内にヒータを包含する構成であってもよい。好ましい実施形態では、伝熱体には、内側にヒータが装着されているのが好ましい。伝熱体の材質は、熱伝導性が良好であれば良い。ブラシ面の形状は、ｘｙ平面において平面であるのが好ましい。他の好ましい実施形態では、ｘｚ平面において凸状や凹状であってもよい。
【００５５】
好ましい実施形態では、把持部７２にスイッチ１１０および操作部１２０を備えるのが好ましい。電源コード９１の先端に備えられたプラグ（図示せず）をコンセントに挿入した上で、把持部７２に設けられたスイッチ１１０を押すことができる。操作部１２０で所望の温度に設定することができる。ヒータ（図示せず）の温度は、一例として、１００、１２０、１４０、１６０、１８０、及び、２００℃から選択することができるように操作部が構成されるのが好ましい。これらの温度に限定することなく、別の好ましい実施形態では、他の設定温度の組み合わせを選択することができるのが好ましい。
【００５６】
ヒータが所望の温度に達した後、手で把持部７２を持ち、ヘッド部７０を毛髪にあてることができる。伝熱ピンと毛髪とが接触し、毛髪に熱が伝えられる。毛髪が自然冷却すればヘアセットが完了する。
【００５７】
頭髪が濡れた状態で本発明のヘアブラシアイロンを使用すると、熱せられた伝熱ピンで毛髪を乾かしながら、セットすることも可能である。操作終了後は、スイッチを切り、通電を切断すると、ヒータの発熱は止まり、放置するとヘッド部７０が常温まで放熱される。
【００５８】
〔変形例〕
毛髪にやさしいとされている獣毛ブラシを適宜付加したり、樹脂ピンを追加または間引く構成は、適宜設計変更可能な範囲であり、本発明の範囲に影響を及ぼすものではない。また、送風装置を付加することによりドライヤーの機能を持たせる構成なども適宜設計変更可能な範囲であり、本発明の範囲に影響を及ぼすものではない。
【００５９】
〔まとめ〕
本発明の態様１に係るヘアブラシは、ヘッド部（７０）を備えたヘアブラシであって、毛髪に熱を伝える伝熱体からなるセット部（３０、４０、５０）が、前記ヘッド部（７０）の第１の表面に配置され、前記セット部（３０、４０、５０）は、当該セット部（３０、４０、５０）の表面から伸長する複数のブリッスル（２０、２１、２２、３１、３２、４１、４２、５２）を備え、前記ブリッスル（２０、２１、２２、３１、３２、４１、４２、５２）の高さ方向に垂直な断面が、長軸と短軸とを有する楕円形状であり、前記短軸が、前記セット部（３０、４０、５０）の長手方向の軸線に対して一方向へ回転した角度を有するように配置され、前記第１の表面における前記ブリッスルの断面の中心が、前記第１の表面において幾何学的に配置され、前記幾何学的な配置が、前記第１の表面におけるスパイラルの一部に沿った配置である構成である。
【００６０】
上記の構成によれば、楕円の曲率の大きな領域を利用して毛髪を曲げることができる。
【００６１】
本発明の態様２に係るヘアブラシは、上記の態様１において、前記スパイラルが、フィボナッチスパイラルである構成としてもよい。
【００６２】
上記の構成によれば、より効果的に毛髪の引張力を増大させることができる。
【００６３】
本発明の態様３に係るヘアブラシは、上記の態様１または２において、前記第１の表面におけるスパイラルの一部が前記セット部（３０、４０、５０）の表面で複数のトラック（２０２、２１２、２２２、２２３）を生成し、前記楕円形状の長軸が、前記トラックに沿うように、前記ブリッスルが配置されている構成としてもよい。
【００６４】
上記の構成によれば、より効果的に毛髪の引張力を増大させることができる。
【００６５】
本発明の態様４に係るヘアブラシは、上記の態様１から３のいずれかにおいて、前記幾何学的な配置が、前記第１の表面における２つのスパイラルの交点の一部に沿った配置である、構成としてもよい。
【００６６】
上記の構成によれば、いずれの方向から侵入する毛髪に対してもブリッスルが効率的に毛髪をキャッチし、毛髪のセット力を高めることができる。
【００６７】
本発明の態様５に係るヘアブラシは、上記の態様１から４のいずれかにおいて、前記セット部（３０、４０、５０）の短手方向の両端部に配置されたブリッスルの高さが、当該短手方向の中央部に配置されたブリッスルの高さよりも低い構成としてもよい。
【００６８】
上記の構成によれば、ブリッスル間に毛髪が侵入する際に、中央部に配置されたブリッスルが先に毛髪に接触することにより、ブリッスル間に毛髪が入りやすくなる効果を高めることができる。
【００６９】
本発明の態様６に係るヘアブラシは、上記の態様１から５のいずれかにおいて、前記複数のブリッスル（２０、２１、２２、３１、３２、４１、４２、５２）のうちの少なくとも２つが前記伝熱体からなる第１のブリッスル（伝熱ピン３１、３２、４１、４２）であり、前記複数のブリッスルのうちの少なくとも１つが、前記伝熱体よりも熱伝導率の低い樹脂からなる第２のブリッスル（樹脂ピン５２）である構成としてもよい。
【００７０】
上記の構成によれば、ブリッスル間の隙間に入り込んだ毛髪が抜けだすのを防ぐことができる。
【００７１】
本発明の態様７に係るヘアブラシは、上記の態様６において、前記第１のブリッスル（伝熱ピン３１、３２、４１、４２）の高さが、前記第２のブリッスル（樹脂ピン５２）の高さより低い構成としてもよい。
【００７２】
上記の構成によれば、伝熱体からなる第１のブリッスルが直接頭皮に触れるのを防ぐことができる。
【００７３】
本発明の態様８に係るヘアブラシは、上記の態様６または７において、第１の断面積を有する第１のブリッスル（伝熱ピン３１、４１）に隣接して、前記第１の断面積とは異なる第２の断面積を有する第１のブリッスル（伝熱ピン３２、４２）が配置され、前記第１の断面積が前記第２の断面積よりも大きく、前記第２の断面積を有する第１のブリッスル（伝熱ピン３２、４２）が、前記セット部（３０、４０、５０）の短手方向の端部に沿って配置される構成としてもよい。
【００７４】
上記の構成によれば、スパイラル配列によってセット力を向上させつつ、毛髪の侵入しやすさを向上させ、効果のバランスを向上させることが可能となる。
【００７５】
本発明の態様９に係るヘアブラシは、上記の態様１から８のいずれかにおいて、前記ヘッド部（７０）が長軸方向に高さを有する楕円柱体であり、前記セット部（３０、４０、５０）が、前記楕円柱体の表面に配置される構成としてもよい。
【００７６】
上記の構成によれば、効率的に毛髪に熱を伝えることができ、セット力を高めることができる。
【００７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７８】
１０、１１、２０、２１、２２、３１、３２、４１、４２、５２  ブリッスル
３０、４０、５０  セット部
５３  ベース部
７０  ヘッド部
７１  整流板
７２  把持部
９１  電源コード
１０１、１１１、２０１、２１１  毛髪進行方向
２０２、２１２、２２２、２２３  トラック
【図１】
2019215961.tif 000003
【図２】
2019215961.tif 000004
【図３】
2019215961.tif 000005
【図４】
2019215961.tif 000006
【図５】
2019215961.tif 000007
【図６】
2019215961.tif 000008
【図７】
2019215961.tif 000009
【図８】
2019215961.tif 000010
【図９】
2019215961.tif 000011
【図１０】
2019215961.tif 000012
【国際調査報告】
2019215961.tif 000013
2019215961.tif 000014
2019215961.tif 000015
2019215961.tif 000016